(57)【特許請求の範囲】
【請求項１】
吸込口を有する吸込具本体と、前記吸込具内に回転可能に配したアジテ−タ−と、前記アジテ−タ−を駆動する駆動源と、前記駆動源の制御を行うスイッチと、前記吸込具本体裏面に上下に回動可能に設けたロ−ラ−ア−ムと、前記ロ−ラ−ア−ム先端に回転可能に設けたロ−ラ−と、前記ロ−ラ−ア−ムを前記吸込具本体裏面より突出方向に附勢するスプリングと、前記ロ−ラ−ア−ムの回動軸上に前後に回動可能なレバ−と、前記レバ−回動方向前方に上下移動可能な可撓性材料より成るボ−ルとを備え、前記吸込具本体を床面に置いたとき、前記ボ−ルが自重で下方に移動し、同時に前記レバ−の回動で前記ボ−ルが撓み、その弾性により前記スイッチのアクチュエーターを附勢する電気掃除機用吸込具。
【発明の詳細な説明】
【０００１】
【発明の属する技術分野】
本発明は、電気掃除機用吸込具に関するものであり、特に吸込口を上方にしたとき、アジテ−タ−の回転スイッチをロックする安全スイッチに関するものである。
【０００２】
【従来の技術】
従来この種の吸込具は、例えば図７〜図８に示されるものが実用化されていた。
【０００３】
図８に示すように、吸込具１には底面に吸込口１４が設けられ、ベルト１２を介して電動機１１によって回転駆動されるアジテ−タ−１３が前記吸込口１４に対向して配されている。吸込具１の裏面に、回動軸２により上下に回動可能なロ−ラ−ア−ム３を設け、前記ロ−ラ−ア−ム３先端部にはロ−ラ−４を回転自在に取り付けている。スプリング５はロ−ラ−ア−ム３を前記吸込具１裏面より突出方向に附勢するためのもので、また、回動軸２にはスイッチ６を附勢する附勢部７を設けている。また、回動軸２にはレバ−８を設け、前記レバ−８はボ−ルガイド９内に回転可能に収容され、そのボ−ルガイド９内にはボ−ル１０が配してある。
【０００４】
上記構成により、図７（Ａ）に示すように吸込具１を床面に置いたとき、床面にロ−ラ−４が当接し、上方に移動し、同時にロ−ラ−ア−ム３が回動軸２を回動させ、図７（Ｂ）に示すように回動軸２と共に回動する附勢部７が、スイッチ６を附勢し、このスイッチ６がアジテ−タ−１３が回転するように電動機１１に通電を行う。
【０００５】
一方、図７（Ｃ）に示すように吸込具１の吸込口１４を上方にしたときは、スプリング５の附勢力により、ロ−ラ−ア−ム３が回動しロ−ラ−４が外方に突出すると共に、ローラーアーム３が回動軸２を上述の場合とは逆方向に回動させるので、ボールガイド９内のレバー８も回動し、ボ−ル１０がレバ−８より外れその自重で下方に落下する。
【０００６】
この状態で、ロ−ラ−４を故意に下方に押し下げようとすると、前記レバ−８の端部が前記ボ−ル１０に当接し、前記レバ−８の回動が規制され、図７（Ｄ）の実線で示されるように附勢部７が回動せず、その結果、前記スイッチ６が動作せず、アジテ−タ−１３は停止状態のままとなり、前記アジテ−タ−１３が不用意に回転することがない。
【０００７】
【発明が解決しようとする課題】
しかしこのような構造のものでは、附勢部７、ロ−ラ−ア−ム３、レバ−８が順に細い回動軸２でそれぞれ連結されているため、吸込口１４を上に向けた状態でロ−ラ−４を過大な力で押したとき、レバ−８はボ−ル１０と当接するため回動しないが、前記ロ−ラ−ア−ム３とレバ−８間の回動軸２にねじれが発生し、そのため、図７（Ｄ）の破線で示されるように、回動軸２に形成された附勢部７が回動し、スイッチ６が附勢されアジテ−タ−１３が不用意に回転するといった問題があった。
【０００８】
本発明は、上記問題を解決するもので、ロ−ラ−を外部より過大な力で押したときにもアジテ−タ−が回転しないようにした電気掃除機用吸込具を提供することを目的としている。
【０００９】
【課題を解決するための手段】
以上の目的を達成するために本発明は、吸込口を有する吸込具本体と、前記吸込具内に回転可能に設けたアジテ−タ−と、前記アジテ−タ−を駆動する駆動源と、前記駆動源の制御を行うスイッチと、前記吸込具本体裏面に上下に回動可能に設けたロ−ラ−ア−ムと、前記ロ−ラ−ア−ム先端に設けた回転可能なロ−ラ−と、前記ロ−ラア−ムを前記吸込具本体裏面より突出方向に附勢するスプリングと、前記ロ−ラ−ア−ムの回動軸上に前後に回動可能なレバ−と、前記レバ−回動方向前方に上下移動可能な可撓性材料より成るボ−ルとを備え、前記吸込具本体を床面に置いたとき、前記ボ−ルが自重で下方に移動し、このときのみ前記レバ−の回動で前記ボ−ルを附勢し、前記ボ−ルが撓み、その弾性により前記スイッチのアクチュエーターを附勢するもので、吸込口を上に向けてロ−ラ−を過大な荷重で附勢させたとき、ボ−ルはレバ−先端部で附勢され固定されるため回動軸近傍には移動せず、その状態で前記回動軸のねじれが発生した場合においても、前記ボ−ルがスイッチを附勢することはないため、回転ブラシが不容易に回転することがない、また、吸込具を床面に置いて前後移動させたとき、床面の凹凸により微細にロ−ラ−ア−ムが上下振動するが、ボ−ルが撓みその弾性によりスイッチを附勢しているため、安定してスイッチを附勢でき、回転ブラシの回転ムラの発生やＯＮ−ＯＦＦ振動による早期にスイッチが破損することを防止できる。
【００１０】
【発明の実施の形態】
本発明の請求項１記載の発明は、吸込口を有する吸込具本体と、前記吸込具内に回転可能に配したアジテ−タ−と、前記アジテ−タ−を駆動する駆動源と、前記駆動源の制御を行うスイッチと、前記吸込具本体裏面に上下に回動可能に配したロ−ラ−ア−ムと、前記ロ−ラ−ア−ム先端に回転可能に設けたロ−ラ−と、前記ロ−ラ−ア−ムを前記吸込具本体、裏面より突出方向に附勢するスプリングと、前記ロ−ラ−ア−ムの回動軸上に前後に回動可能なレバ−と、前記レバ−回動方向前方に上下移動可能な可撓性材料より成るボ−ルとを設け、前記吸込具本体を床面に置いたとき、前記ボ−ルが自重で下方に移動し、同時に前記レバ−の回動で前記ボ−ルが撓み、その弾性により前記スイッチのアクチュエーターを附勢するものであり、吸込口を上に向けてロ−ラ−を過大な荷重で附勢させたとき、ボ−ルはレバ−先端部で附勢され固定されるため回動軸近傍には移動せず、その状態で前記回動軸のねじれが発生した場合においても、前記ボ−ルがスイッチを附勢することはないため、回転ブラシが不容易に回転することがない。また、吸込具を床面に置いて前後移動させたとき、床面の凹凸により微細にロ−ラ−ア−ムが上下振動するが、ボ−ルが撓みその弾性によりスイッチを附勢しているため、安定してスイッチを附勢でき、回転ブラシの回転ムラの発生やＯＮ−ＯＦＦ振動による早期にスイッチが破損することを防止できる。
【００１１】
【実施例】
（実施例１）
以下本発明の第１の実施例を図１、２を用いて説明する。
【００１２】
図において、２０は吸込具本体で、バンバ−２１を介して上部吸込具２２、下部吸込具２３を結合して得たものであり、その吸込具本体２０の裏面前方には吸込口２４を設け、その内部には吸込室２５を形成している。この吸込室２５の後方と連通する連通管２６は、上部吸込具２２及び下部吸込具２３により俯仰自在に挟持されている。
【００１３】
この連通管２６に接続管２７を回転自在に連結し、かつ、この接続管２７には、電気掃除機の吸引側にホ−スを介して連通した延長管が着脱自在に接続される。連通管２６の左右には、アジテ−タ−駆動用のモ−タ−２８と、これを制御する制御部２９がそれぞれ内設されている。３０は吸込室２５内に回転自在に設けられたアジテ−タ−で、吸込室２５の両側壁に配設した軸受に回転自在に保持されている。
【００１４】
前記アジテ−タ−３０は、略円柱状回転子３１と、この回転子３１の外周面長手方向に螺施状に装着され、かつ可撓性材料でつくられた複数の攪拌体３２より構成されている。前記吸込具本体２０裏面には回動可能な回動軸３３が設けられ、前記回動軸３３にはロ−ラ−ア−ム３４が上下方向に、レバ−３５が前後方向に、それぞれ回転可能に構成され、前記ロ−ラ−ア−ム３４先端部には、ロ−ラ−３６が回転可能に軸支されている。
【００１５】
前記吸込具本体２０を空中に浮かしたとき、スプリング３７の附勢により、前記ロ−ラ−ア−ム３４及び前記ロ−ラ−３６は前記吸込具本体２０裏面より突出し、前記吸込具本体２０を床面に置いたとき、前記ロ−ラ−３６が床面と当接し、さらに床面より附勢されることにより前記ロ−ラ−ア−ム３４が上方向に回動する。
【００１６】
前記レバ−３５外周部には、ボ−ルガイド３８が構成され、前記レバ−３５回動方向部に設けられたボ−ル３９を、上下移動可能に保持している。前記ボ−ル３９が前記吸込具本体２０の下方向に移動し、かつ前記ロ−ラ−３６が上方向に回動したとき、回動軸３３が回転してその回転軸３３に連結したレバ−３５を回動させる。この回動によりレバー３５は前記ボ−ル３９を附勢し、前記ボ−ル３９は前記モ−タ−２８制御用のスイッチ４０のアクチュエーター４０ａを附勢し、前記モ−タ−２８が回転し、前記アジテ−タ−３０が回転するように構成されている。
【００１７】
上記構成による作用は以下の通りである。すなわち、図１（Ａ）に示すように、吸込具本体２０を床面に置いたとき、ロ−ラ−３６が床面より附勢されロ−ラ−ア−ム３４が上方向に回動し、レバ−３５がボ−ル３９を介してスイッチ４０を附勢し、前記モ−タ−２８及びアジテ−タ−３０が回転し、床面を奇麗に掃除できるものである。また、吸込具２０を床面から離すと、図１（Ｂ）に示すように、ローラーアーム３４が下方向に附勢されているので、ローラーアーム３４の回動と共に回転軸３３、レーバー３５が回転し、ボール３９によるスイッチ４０のアクチュエータ４０ａの附勢を解除する。
【００１８】
また、図１（Ｃ）に示すように、吸込口２４を上に向けたとき、前記ボ−ル３９は重力で前記吸込具本体２０上方向に移動し、このときロ−ラ−３６を過大な力で押付け回動軸３３がねじれた場合においても、前記ボ−ル３９は前記スイッチ４０の前方には位置せず、前記レバ−３５は前記ロ−ラ−３６を介して前記スイッチ４０を附勢できず、アジテ−タ−３０は回転しないため、指噛み込み等の事故は発生せず、十分な安全性が確保されるものである。
【００１９】
なお本実施例においては、スイッチ４０への附勢体として球状のボ−ル３９を使用したが、他の形状の附勢体を使用しても差し支えない。
【００２０】
（実施例２）
次に、本発明の第２の実施例を、図１、２を用いて説明する。なお、上記第１の実施例と同一構成部品については同一符号を付して、その説明を省略する。
【００２１】
ボ−ル３９が可撓性材料で形成されており、ロ−ラ−ア−ム３４が上方向に回動したとき、前記ボ−ル３９が撓み、その弾性力によりスイッチ４０を附勢し、前記モ−タ−２８及びアジテ−タ−３０が回転するよう構成されている。
【００２２】
上記構成による作用は以下の通りである。すなわち、吸込具本体２０を床面に置き前後動作したとき、床面の凹凸により微細にロ−ラ−ア−ム３４が上下振動するが、ボ−ル３９の弾性力により常時スイッチ４０を附勢するため、安定してスイッチ４０を附勢でき、アジテ−タ−３０の回転ムラやスイッチ４０のＯＮ−ＯＦＦ振動による早期破損が防止できるものである。
【００２３】
（実施例３）
次に本発明の第３の実施例を、図３を用いて説明する。
【００２４】
レバ−３５の回動方向前方部に傾斜部４１が形成されており、ロ−ラ−ア−ム３４が上方向に回動したとき、ボ−ル３９がスイッチ４０方向に転がり、その転がり荷重により前記スイッチ４０を附勢し、前記モ−タ−２８及びアジテ−タ−３０が回転するよう構成されている。
【００２５】
上記構成による作用は以下の通りである。すなわち、吸込具本体２０を床面に置き前後動作したとき、床面の凹凸により微細にロ−ラ−ア−ム３４が上下振動するが、ボ−ル３９の転がり荷重により常時スイッチ４０を附勢するため、安定してスイッチ４０を附勢でき、アジテ−タ−３０の回転ムラやスイッチ４０のＯＮ−ＯＦＦ振動による早期破損が防止できるものである。
【００２６】
（実施例４）
次に、本発明の第４の実施例を図４を用いて説明する。レバ−３５の回動方向前方部にバネ４２が設けられ、ロ−ラ−ア−ム３４が上方向に回動したとき、前記バネ４２がボ−ル３９を附勢し、その応力により前記ボ−ル３９が前記スイッチ４０を附勢し、前記モ−タ−２８及びアジテ−タ−３０が回転するよう構成されている。
【００２７】
上記構成による作用は以下の通りである。すなわち、吸込具本体２０を床面に置き前後動作したとき、床面の凹凸により微細にロ−ラ−ア−ム３４が上下振動するが、バネ４２の反発荷重により常時スイッチ４０を附勢するため、安定してスイッチ４０を附勢でき、アジテ−タ−３０の回転ムラやスイッチ４０のＯＮ−ＯＦＦ振動による早期破損が防止できるものである。
【００２８】
（実施例５）
次に本発明の第５の実施例を、図５、６を用いて説明する。
【００２９】
ボ−ルガイド３８内のレバ−３５の回動方向部に、円柱体４３が上下移動可能に保持されており、前記円柱体４３が前記吸込具本体２０の下方向に移動し、かつロ−ラ−３６が上方向に回動したとき、バネ４２は前記円柱体４３を附勢し、前記円柱体４３は前記モ−タ−２８制御用のスイッチ４０を附勢し、前記モ−タ−２８が回転し、前記アジテ−タ−３０が回転するように構成されている。
【００３０】
上記構成による作用は以下の通りである。すなわち、吸込具本体２０を床面に置き前後動作したとき、床面の凹凸により微細にロ−ラ−ア−ム３４が上下振動するが、線接触する円柱体４３でスイッチ４０のアクチュエータ４０ａを附勢するため、安定してスイッチ４０を附勢でき、アジテ−タ−３０の回転ムラやスイッチ４０のＯＮ−ＯＦＦ振動による早期破損が防止できるものである。
【００３１】
【発明の効果】
以上の実施例からも明らかなように、本発明の請求項１記載の発明によれば、レバ−の回動でボ−ルを介してスイッチのアクチュエーターを附勢するので、吸込口を上にしてロ−ラ−を過大な荷重で附勢して、荷重で回動軸がねじれた場合においても、スイッチは附勢されず、アジテ−タ−が不用意に回転することもなく、安全性を高めることができ、また、吸込具を床面に置いて前後移動させたとき、床面の凹凸により微細にロ−ラ−ア−ムが上下振動するが、ボ−ルが撓みその弾性によりスイッチを附勢しているため、安定してスイッチを附勢でき、回転ブラシの回転ムラの発生やＯＮ−ＯＦＦ振動による早期にスイッチが破損することを防止できる。
【図面の簡単な説明】
【図１】  （Ａ）  本発明の第１、第２の実施例を示す電気掃除機用吸込具の部分断面図
（Ｂ）  同吸込具を床より持ち上げた時の要部断面図
（Ｃ）  同吸込具の吸込口を上にしたときの要部断面図
【図２】  同吸込具の上部吸込具を取り外した状態を示す平面図
【図３】  （Ａ）  本発明の第３の実施例を示す電気掃除機用吸込具の要部断面図
（Ｂ）  同吸込具の吸込口を上にしたときの要部断面図
【図４】  （Ａ）  本発明の第４の実施例を示す電気掃除機用吸込具の要部断面図
（Ｂ）  同吸込具の吸込口を上にしたときの要部断面図
【図５】  （Ａ）  本発明の第５の実施例を示す電気掃除機用吸込具の要部断面図
（Ｂ）  同吸込具の吸込口を上にしたときの要部断面図
【図６】  同吸込具の上部吸込具を取り外した状態を示す平面図
【図７】  （Ａ）  従来の電気掃除機用吸込具の要部断面図
（Ｂ）  同吸込具のスイッチ部の要部断面図
（Ｃ）  同吸込具の吸込口を上にしたときの要部断面図
（Ｄ）  同吸込具の吸込口を上にしたときのスイッチ部の要部断面図
【図８】  同吸込具の上部吸込具を取り外した状態を示す平面図
【符号の説明】
２Ｏ  吸込具本体
２４  吸込口
２８  モ−タ−（駆動源）
３Ｏ  アジテ−タ−
３３  回動軸
３４  ロ−ラ−ア−ム
３５  レバ−
３６  ロ−ラ−
３７  スプリング
３８  ボ−ルガイド
３９  ボ−ル
４０  スイッチ
４１  傾斜部
４２  バネ
４３  円柱体
【図１】
0003812028.tif 000002
【図２】
0003812028.tif 000003
【図３】
0003812028.tif 000004
【図４】
0003812028.tif 000005
【図５】
0003812028.tif 000006
【図６】
0003812028.tif 000007
【図７】
0003812028.tif 000008
【図８】
0003812028.tif 000009